(57)【要約】【課題】紐状ないしは帯状物の端部に対し、容易かつ安定的に取り付けることができると共に、カバー状態を常時安定的に維持可能な端部カバーの提供。【解決手段】頭部１０と、紐状ないしは帯状物Ｗを挟持可能とする一対の挟持用脚部１１、１１とを備えた雄部材１と、筒一端を紐状ないしは帯状物Ｗの引き出し開口２０とし、かつ、筒他端を雄部材１の挟持用脚部１１の入れ込み開口２１とした筒状をなす雌部材２とを備えている。雌部材２には、紐状ないしは帯状物Ｗを間に入れ込ませた状態で入れ込み開口２１から雌部材２内に入れ込まれる雄部材１の挟持用脚部１１を、この入れ込みに伴って紐状ないしは帯状物Ｗを挟み付ける向きに撓み込ませる締め込み用内壁部２２が備えられている。【選択図】    図２
2004204376.tif 000002
【特許請求の範囲】
【請求項１】
頭部と、紐状ないしは帯状物を挟持可能とする少なくとも二以上の挟持用脚部とを備えた雄部材と、
筒一端を紐状ないしは帯状物の引き出し開口とし、かつ、筒他端を雄部材の挟持用脚部の入れ込み開口とした筒状をなす雌部材とを備えていると共に、
雌部材には、紐状ないしは帯状物を間に入れ込ませた状態で入れ込み開口から雌部材内に入れ込まれる雄部材の挟持用脚部を、この入れ込みに伴って紐状ないしは帯状物を挟み付ける向きに撓み込ませる締め込み用内壁部が備えられていることを特徴とする紐状ないしは帯状物の端部カバー。
【請求項２】
雌部材の締め込み用内壁部が、引き出し開口に近付くに連れてこの雌部材の内部空間を小さくさせるように傾斜した構成としてあることを特徴とする請求項１記載の紐状ないしは帯状物の端部カバー。
【請求項３】
雄部材の挟持用脚部に、挟持される紐状ないしは帯状物に対するスパイクとして機能する突起が備えられていることを特徴とする請求項１又は請求項２記載の紐状ないしは帯状物の端部カバー。
【請求項４】
雄部材の挟持用脚部を、紐状ないしは帯状物にテンションが作用された際に、このテンションの作用に伴う雌部材の引き出し開口側に向けた挟持用脚部の移動を弾性変形しながら許容させる連接体を介して頭部に連接させていることを特徴とする請求項１から請求項３のいずれか一項に記載の紐状ないしは帯状物の端部カバー。
【請求項５】
雄部材の頭部と雌部材の入れ込み開口側とのいずれか一方に、これらの他方に形成された被掛合部に対し、雌部材内に雄部材の挟持用脚部を入れ込み切った位置で掛合される掛合部が形成してあることを特徴とする請求項１から請求項４のいずれか一項に記載の紐状ないしは帯状物の端部カバー。
【発明の詳細な説明】
【０００１】
【発明の属する技術分野】
この発明は、紐状ないしは帯状物の端部を覆うように、この端部に取り付けられて用いられる端部カバーの改良に関する。
【０００２】
【従来の技術】
ヒンジ部を介して連接され、このヒンジ部を変形させながら重ね合わされる第一部分と第二部分を有しており、この重ね合わせ状態において、間に入れ込まれた紐状物の端部に第一部分と第二部分の重ね合わせ側にそれぞれ設けられたスパイクを突き刺し、あるいは、突き立てるようにして、この紐状物の端部を覆うように取り付けられる端部カバーとして、特許文献１に示されるものがある。
【０００３】
【特許文献１】
意匠登録第１０１９０６５号公報
【０００４】
【発明が解決しようとする課題】
しかるに、特許文献１に示される端部カバーは、紐状物の端部への取り付け状態の確保を、この端部への前記スパイクの突き刺し、あるいは、突き立てによらしめるに留まるものであった。
【０００５】
そこで、この発明は、紐状ないしは帯状物の端部に対し、容易かつ安定的に取り付けることができると共に、この端部のカバー状態を常時安定的に維持可能な端部カバーを提供することを主たる目的とする。
【０００６】
【課題を解決するための手段】
前記目的を達成するために、請求項１記載の発明にあっては、紐状ないしは帯状物の端部カバーを、以下の（１）〜（３）の構成を備えたものとした。
（１）頭部と、紐状ないしは帯状物を挟持可能とする少なくとも二以上の挟持用脚部とを備えた雄部材と、
（２）筒一端を紐状ないしは帯状物の引き出し開口とし、かつ、筒他端を雄部材の挟持用脚部の入れ込み開口とした筒状をなす雌部材とを備えていると共に、
（３）雌部材には、紐状ないしは帯状物を間に入れ込ませた状態で入れ込み開口から雌部材内に入れ込まれる雄部材の挟持用脚部を、この入れ込みに伴って紐状ないしは帯状物を挟み付ける向きに撓み込ませる締め込み用内壁部が備えられている。
【０００７】
かかる構成によれば、雌部材の引き出し開口から雌部材内に入れ込まれ、かつ、入れ込み開口から引き出された紐状ないしは帯状物の端部を、雄部材の二以上の挟持用脚部の間に入れ込ませた後、
この雄部材の二以上の挟持用脚部を雌部材の入れ込み開口からこの雌部材内に入れ込ませることによって、この二以上の挟持用脚部を前記締め込み用内壁部によって撓み込ませることができ、このように撓み込まされる二以上の挟持用脚部によってこの二以上の挟持用脚部間に入れ込まれた紐状ないしは帯状物の端部をこの二以上の挟持用脚部間から抜け出さないように挟み付けることができる。
【０００８】
そして、これにより、紐状ないしは帯状物の端部にワンタッチで端部カバーを取り付けて、このように雄部材が入れ込まれた雌部材によって紐状ないしは帯状物の端部を覆うようにすることができる。
【０００９】
紐状ないしは帯状物にテンションが作用されると、この紐状ないしは帯状物の端部を雌部材内において挟持用脚部によって挟み付けている雄部材にも引き出し開口側に向けた力が作用されることになるが、このような力が作用されると前記締め込み用内壁部によって挟持用脚部はより前記端部を挟み付ける向きに撓み込まされることになることから、挟み付けられているこの端部は前記テンション作用時にも挟持用脚部間から、つまり、雌部材内から抜け出し難く、この端部のカバー状態を安定的に確保させることができる。
【００１０】
また、請求項２記載の発明にあっては、請求項１記載の紐状ないしは帯状物の端部カバーにおける雌部材の締め込み用内壁部が、引き出し開口に近付くに連れてこの雌部材の内部空間を小さくさせるように傾斜した構成としてあることを特徴としている。
【００１１】
かかる構成によれば、雌部材内に入れ込まれる雄部材の挟持用脚部を、雌部材内への入れ込み量が増えるに従って次第に大きく撓み込まさせることができ、雌部材内への雄部材の挟持用脚部の入れ込みをスムースに行わせることができる。
【００１２】
また、紐状ないしは帯状物にテンションが作用されると、この紐状ないしは帯状物の端部を雌部材内において挟持用脚部によって挟み付けている雄部材にも引き出し開口側に向けた力が作用されることになるが、このような力が作用されるとこのように傾斜された前記締め込み用内壁部によって挟持用脚部はより前記端部を挟み付ける向きに強固に撓み込まされることになることから、挟み付けられているこの端部は前記テンション作用時にも挟持用脚部間から、つまり、雌部材内から抜け出し難く、この端部のカバー状態を安定的に確保させることができる。
【００１３】
また、請求項３記載の発明にあっては、請求項１又は請求項２記載の紐状ないしは帯状物の端部カバーにおける雄部材の挟持用脚部に、挟持される紐状ないしは帯状物に対するスパイクとして機能する突起が備えられていることを特徴としている。
【００１４】
かかる構成によれば、二以上の挟持用脚部間に紐状ないしは帯状物の端部を入れ込ませた状態からこの挟持用脚部を雌部材内に入れ込ませることに伴って、前記のように撓み込まされる挟持用脚部によりかかる端部に前記突起を突き刺させ、あるいは、突き立てさせることができ、この突起によってかかる端部を一層確実に保持させることができる。
【００１５】
また、請求項４記載の発明にあっては、請求項１から請求項３のいずれか一項に記載の紐状ないしは帯状物の端部カバーにおける雄部材の挟持用脚部を、紐状ないしは帯状物にテンションが作用された際に、このテンションの作用に伴う雌部材の引き出し開口側に向けた挟持用脚部の移動を弾性変形しながら許容させる連接体を介して頭部に連接させていることを特徴としている。
【００１６】
かかる構成によれば、こうしたテンションが作用された際に、雌部材内への入れ込みにより撓み込まされた挟持用脚部によって紐状ないしは帯状物を雌部材内で把持している雄部材の挟持用脚部を、このテンションによって雌部材内から抜け出そうとする紐状ないしは帯状物と一緒に同じ向きに移動させることができ、こうしたテンションによっても紐状ないしは帯状物の端部に対する挟持用脚部の把持位置にズレを生じさせることがなく、この端部の把持状態を安定的に維持させることができる。また、こうしたテンションの作用がなくなった場合には、前記連接体の弾性復帰により、挟持用脚部を再び所期の位置に復帰させることができる。
【００１７】
また、請求項５記載の発明にあっては、請求項１から請求項４のいずれか一項に記載の紐状ないしは帯状物の端部カバーにおける雄部材の頭部と雌部材の入れ込み開口側とのいずれか一方に、これらの他方に形成された被掛合部に対し、雌部材内に雄部材の挟持用脚部を入れ込み切った位置で掛合される掛合部が形成してあることを特徴としている。
【００１８】
かかる構成によれば、雄部材の二以上の挟持用脚部間に紐状ないしは帯状物の端部を入れ込ませた状態で、雌部材内にこの挟持用脚部を入れ込み切っることにより作出されたこの端部をカバーさせた状態を、安定的に維持させることができる。
【００１９】
【発明の実施の形態】
以下、図１ないし図２５に基づいて、この発明の典型的な実施の形態について説明する。
【００２０】
なお、ここで図１は、実施の形態にかかる端部カバーを紐状ないしは帯状物Ｗ（図示の例では、紐状体）の端部Ｗａに取り付ける直前の状態を、また、図２は、かかる取り付けをなした状態を、また、図３は、図２の状態から紐状ないしは帯状物Ｗにテンションが作用された状態を、それぞれ示している。
【００２１】
また、図４ないし図９は、かかる端部カバーを、図１０ないし図１５は、かかる端部カバーを構成する雌部材２を、さらに、図１６ないし図２５は、かかる端部カバーを構成する雄部材１を、それぞれ示している。
【００２２】
この実施の形態にかかる端部カバーは、紐状ないしは帯状物Ｗの端部Ｗａを覆うように、この端部Ｗａに取り付けられて用いられるものである。かかる端部カバーは、紐状ないしは帯状物Ｗの端部Ｗａの外観性を向上させる機能を有する。また、かかる端部カバーは、紐状ないしは帯状物Ｗの端部Ｗａの解れなどを防止する機能を有する。また、かかる端部カバーは、引き紐などとして用いられる紐状ないしは帯状物Ｗにおいては、引き操作をなすための把持部分となる機能を有するものである。
【００２３】
紐状物としては、典型的には、丸紐、平紐、ゴム紐、合成樹脂製のコードなどが予定される。また、帯状物としては、扁平で、平紐よりも幅の広いバンドなどが予定される。
【００２４】
かかる端部カバーは、雄部材１と雌部材２とを備えて構成される。
【００２５】
雄部材１は、頭部１０と、少なくとも二以上の挟持用脚部１１、１１…とを備えている。二以上の挟持用脚部１１、１１…は、紐状ないしは帯状物Ｗを挟持可能とするものである。すなわち、二以上の挟持用脚部１１、１１…は、これらの間に入れ込ませた紐状ないしは帯状物Ｗの端部Ｗａを他の挟持用脚部１１と協働して挟み付けることができるように構成されている。
【００２６】
一方、雌部材２は、両筒端を開放させた筒状をなすように構成されている。そして、かかる雌部材２は、筒一端を紐状ないしは帯状物Ｗの引き出し開口２０とし、かつ、筒他端を雄部材１の挟持用脚部１１の入れ込み開口２１とするように構成されている。
【００２７】
そして、この雌部材２には、紐状ないしは帯状物Ｗを間に入れ込ませた状態で入れ込み開口２１から雌部材２内に入れ込まれる雄部材１の挟持用脚部１１を、この入れ込みに伴ってこの紐状ないしは帯状物Ｗを挟み付ける向きに撓み込ませる締め込み用内壁部２２が備えられている。
【００２８】
これにより、かかる端部カバーによれば、雌部材２の引き出し開口２０から雌部材２内に入れ込まれ、かつ、入れ込み開口２１から引き出された紐状ないしは帯状物Ｗの端部Ｗａを、雄部材１の二以上の挟持用脚部１１、１１…の間に入れ込ませた後、（図１）
この雄部材１の二以上の挟持用脚部１１、１１…を雌部材２の入れ込み開口２１からこの雌部材２内に入れ込ませることによって、この二以上の挟持用脚部１１、１１…を前記締め込み用内壁部２２によって撓み込ませることができ、このように撓み込まされる二以上の挟持用脚部１１、１１…によってこの二以上の挟持用脚部１１、１１…間に入れ込まれた紐状ないしは帯状物Ｗの端部Ｗａをこの二以上の挟持用脚部１１、１１…間から抜け出さないように挟み付けることができる。（図２）
【００２９】
そして、これにより、紐状ないしは帯状物Ｗの端部Ｗａにワンタッチで端部カバーを取り付けて、このように雄部材１が入れ込まれた雌部材２によって紐状ないしは帯状物Ｗの端部Ｗａを覆うようにすることができる。
【００３０】
紐状ないしは帯状物Ｗにテンションが作用されると、この紐状ないしは帯状物Ｗの端部Ｗａを雌部材２内において挟持用脚部１１によって挟み付けている雄部材１にも引き出し開口２０側に向けた力が作用されることになるが、このような力が作用されると前記締め込み用内壁部２２によって挟持用脚部１１はより前記端部Ｗａを挟み付ける向きに撓み込まされることになることから、挟み付けられているこの端部Ｗａは前記テンション作用時にも挟持用脚部１１間から、つまり、雌部材２内から抜け出し難く、この端部Ｗａのカバー状態を安定的に確保させることができる。
【００３１】
図示の例にあっては、雌部材２は、扁平の筒状をなすように構成されている。すなわち、図示の例にあっては、雌部材２は、その筒軸に対し直交する向きの断面において、ほぼいずれの位置においても、外郭形状および内郭形状を共にほぼ楕円状とするように構成されており、短寸側の内外壁と長寸側の内外壁とを持つように構成されている。
【００３２】
一方、雄部材１は、一対の挟持用脚部１１、１１を有するものとして構成されている。そして、図示の例にあっては、この雄部材１の頭部１０における一対の挟持用脚部１１、１１との連接側の面が雌部材２の入れ込み開口２１を巡る縁部に突き当てられる位置まで、雌部材２内に雄部材１の挟持用脚部１１を入れ込めるようになっており、この位置が雌部材２内に雄部材１を入れ込み切った位置となるようにしてある。また、雄部材１は、この一対の挟持用脚部１１、１１の一方の先端部Ｗａの外側を雌部材２の一方の短寸側の内壁部２３に接しさせ、かつ、この一対の挟持用脚部１１、１１の他方の先端部Ｗａの外側を雌部材２の他方の短寸側の内壁部２３に接しさせながら、雌部材２内に挟持用脚部１１を入れ込ませるように構成されている。  図示の例にあっては、雌部材２の締め込み用内壁部２２は、この雌部材２の短寸側の内壁部２３によって構成されている。
【００３３】
そして、この実施の形態にあっては、雌部材２の締め込み用内壁部２２が、引き出し開口２０に近付くに連れてこの雌部材２の内部空間を小さくさせるように傾斜した構成としてある。
【００３４】
これにより、雌部材２内に入れ込まれる雄部材１の挟持用脚部１１を、雌部材２内への入れ込み量が増えるに従って次第に大きく撓み込まさせることができ、雌部材２内への雄部材１の挟持用脚部１１の入れ込みをスムースに行わせることができる。
【００３５】
また、紐状ないしは帯状物Ｗにテンションが作用されると、この紐状ないしは帯状物Ｗの端部Ｗａを雌部材２内において挟持用脚部１１によって挟み付けている雄部材１にも引き出し開口２０側に向けた力が作用されることになるが、このような力が作用されるとこのように傾斜された前記締め込み用内壁部２２によって挟持用脚部１１はより前記端部Ｗａを挟み付ける向きに強固に撓み込まされることになることから、挟み付けられているこの端部Ｗａは前記テンション作用時にも挟持用脚部１１間から、つまり、雌部材２内から抜け出し難く、この端部Ｗａのカバー状態を安定的に確保させることができる。
【００３６】
図示の例では、雌部材２の入れ込み開口２１側においては、この雌部材２の一対の短寸側の内壁部２３間の間隔は、雄部材１の一対の挟持用脚部１１、１１の先端の外面部間（より具体的には、図示の例では、後述する位置決め用突起１７の突き出し端間）の寸法よりやや大きいが、この一対の短寸側の内壁部２３間の間隔はここから引き出し開口２０側に向けて、前記締め込み用内壁部２２によって、次第に狭まるように構成されている。
【００３７】
また、この実施の形態にあっては、雄部材１の挟持用脚部１１に、挟持される紐状ないしは帯状物Ｗに対するスパイクとして機能する突起１２が備えられている。
【００３８】
これにより、二以上の挟持用脚部１１、１１…、図示の例では一対の挟持用脚部１１、１１間に紐状ないしは帯状物Ｗの端部Ｗａを入れ込ませた状態からこの挟持用脚部１１を雌部材２内に入れ込ませることに伴って、前記のように撓み込まされる挟持用脚部１１によりかかる端部Ｗａに前記突起１２を突き刺させ、あるいは、突き立てさせることができ、この突起１２によってかかる端部Ｗａを一層確実に保持させることができる。
【００３９】
図示の例にあっては、雄部材１の頭部１０は、挟持用脚部１１の突き出し側の面と反対の側をドーム状をなすように構成されており、この挟持用脚部１１を雌部材２内に入れ込み切った位置において、この頭部１０によって雌部材２の入れ込み開口２１を塞ぐように構成されている。
【００４０】
また、図示の例にあっては、一対の挟持用脚部１１、１１は、この一対の挟持用脚部１１、１１の先端と反対の側の端部Ｗａ間に亙る基部片１３によってこの反対の側の端部Ｗａにおいて互いに連接されている。すなわち、かかる一対の挟持用脚部１１、１１とこの基部片１３とは全体としてコ字状をなすように一体化されている。そして、かかる一対の挟持用脚部１１、１１はそれぞれ、この基部片１３との連接側をおおむね中心として、その先端側を他方の挟持用脚部１１に近づける向きに、弾性変形するように構成されている。
【００４１】
また、かかる一対の挟持用脚部１１、１１はそれぞれ、他方の挟持用脚部１１に向き合った側に前記突起１２を備えている。
【００４２】
図示の例にあっては、かかる一対の挟持用脚部１１、１１の一方には、この一方の挟持用脚部１１における他方の挟持用脚部１１に向き合った側において、その先端側から基部片１３との連接側に向けて延びる溝状部１４が形成されている。そして、かかる一対の挟持用脚部１１、１１の一方においては、この溝状部１４を挟んだ両側にそれぞれ、前記突起１２が形成されている。かかる突起１２は、前記溝状部１４を挟んだ両側にそれぞれ設けられて一組をなすと共に、図示の例では、この一組の突起１２、１２がこの一対の挟持用脚部１１、１１の一方の長さ方向において間隔を開けて二カ所に備えられている。
【００４３】
一方、かかる一対の挟持用脚部１１、１１の他方には、この他方の挟持用脚部１１における一方の挟持用脚部１１に向き合った側において、前記突起１２が一つ設けられている。この他方の挟持用脚部１１に設けられている突起１２は、かかる他方の挟持用脚部１１の幅方向ほぼ中程の位置から一方の挟持用脚部１１の側に向けて突き出されている。また、図示の例にあっては、かかる他方の挟持用脚部１１の突起１２は、この挟持用脚部１１の長さ方向において、前記一方の挟持用脚部１１において二カ所に設けられた一組の突起１２、１２の間に、その突き出し端を位置させるように設けられている。
【００４４】
また、図示の例にあっては、一対の挟持用脚部１１、１１に設けられた突起１２はそれぞれ、その突き出し端を尖らせた外郭形状を円錐状をなすように構成されていると共に、この突起１２の基部から突き出し端に向かうに連れて、次第に挟持用脚部１１の先端から離れる向きに傾斜するように突き出されている。
【００４５】
これにより、図示の例にあっては、一対の挟持用脚部１１、１１間に紐状ないしは帯状物Ｗの端部Ｗａを入れ込ませた後、この一対の挟持用脚部１１、１１を雌部材２内に入れ込ませることにより撓み込まされる挟持用脚部１１によって、前記各突起１２をこの紐状ないしは帯状物Ｗにしっかりと食い込ませることができる。また、かかる各突起１２は、前記のように傾斜していることから、この紐状ないしは帯状物Ｗにテンションが作用された際には、より深くこの紐状ないしは帯状物Ｗに突起１２が食い込むみ、こうしたテンションの作用によって紐状ないしは帯状物Ｗの挟み付け状態が一層解かれ難くなるようになっている。また、前記一方の挟持用脚部１１の突起１２と他方の挟持用脚部１１の突起１２とは、挟持用脚部１１の長さ方向において異なる位置で紐状ないしは帯状物Ｗの端部Ｗａに突き刺さり、あるいは、突き立ち、かつ、挟持用脚部１１の幅方向において、一方の挟持用脚部１１の一組の突起１２間において他方の挟持用脚部１１の突起１２が紐状ないしは帯状物Ｗの端部Ｗａに突き刺さり、あるいは、突き立つようになっていることから、一対の挟持用脚部１１、１１によって紐状ないしは帯状物Ｗの端部Ｗａを強固に挟み付けることができるようになっている。さらに、一方の挟持用脚部１１には、前記溝状部１４が形成されていることから、前記突起１２の突き刺さり、ないし、突き立てによって変形させられた紐状ないしは帯状物Ｗの端部Ｗａの一部を、この溝状部１４によって逃させることができ、これにより、端部カバー全体をコンパクトに構成させることができるようになっている。図示の例では、一方の挟持用脚部１１の突起１２と、他方の挟持用脚部１１の突起１２とは、雌部材２内への入れ込み前の状態においては、この入れ込み方向に沿った向きから雄部材１を見た状態において、互いの突起１２をオーバーラップさせず、一対の挟持用脚部１１、１１間への紐状ないしは帯状物Ｗの端部Ｗａの入れ込みは支障なくなせる一方、この挟持用脚部１１を雌部材２内に入れ込み切った状態においては、この入れ込み方向に沿った向きから雄部材１を見た状態において、互いの突起１２をオーバーラップさせて、一対の挟持用脚部１１、１１間にある紐状ないしは帯状物Ｗの端部Ｗａに互いの突起１２を突き刺し、あるいは、突き立てるようになっている。また、図示の例にあっては、一方の挟持用脚部１１における他方の挟持用脚部１１に向き合った側と反対の外面部と前記溝状部１４の溝底までの間隔が、他方の挟持用脚部１１における一方の挟持用脚部１１に向き合った側の内面部とこれと反対の外面部間の間隔とほぼ等しいが、一方の挟持用脚部１１における他方の挟持用脚部１１に向き合った側と反対の外面部と溝状部１４の溝口までの間隔はこれより大きいため、この一方の挟持用脚部１１を他方の挟持用脚部１１とほぼ同じように弾性変形させるようにする観点から、一方の挟持用脚部１１と基部片１３との連接箇所であって、この一方の挟持用脚部１１における他方の挟持用脚部１１に向き合った側に、前記溝状部１４の溝壁の一部を切り欠くようにした切欠部１５を形成させている。
【００４６】
また、この実施の形態にあっては、雄部材１の挟持用脚部１１を、紐状ないしは帯状物Ｗにテンションが作用された際に、このテンションの作用に伴う雌部材２の引き出し開口２０側に向けた挟持用脚部１１の移動を弾性変形しながら許容させる連接体１６を介して頭部１０に連接させている。
【００４７】
これにより、この実施の形態にあっては、こうしたテンションが作用された際に、雌部材２内への入れ込みにより撓み込まされた挟持用脚部１１によって紐状ないしは帯状物Ｗを雌部材２内で把持している雄部材１の挟持用脚部１１を、このテンションによって雌部材２内から抜け出そうとする紐状ないしは帯状物Ｗと一緒に同じ向きに移動させることができ、こうしたテンションによっても紐状ないしは帯状物Ｗの端部Ｗａに対する挟持用脚部１１の把持位置にズレを生じさせることがなく、この端部Ｗａの把持状態を安定的に維持させることができる。また、こうしたテンションの作用がなくなった場合には、前記連接体１６の弾性復帰により、挟持用脚部１１を再び所期の位置に復帰させることができる。
【００４８】
図示の例にあっては、前記連接体１６を、前記基部片１３における挟持用脚部１１との連接側と反対の側であって、この基部片１３の長さ方向ほぼ中程の位置にバネ一端１６ｂを一体に連接させると共に、前記頭部１０におけるドーム状に構成された側と反対の側の面のほぼ中央部にバネ他端１６ｃを一体に連接させ、かつ、このバネ一端１６ｂとバネ他端１６ｃとの間における二カ所で屈曲されて蛇行状に形成されたバネ状屈曲片１６ａによって構成させている。
【００４９】
そして、図示の例にあっては、紐状ないしは帯状物Ｗに対し前記のようにテンションが作用されると、前記バネ状屈曲片１６ａの二カ所の屈曲箇所１６ｄ、１６ｄとバネ一端１６ｂおよびバネ他端１６ｃとの間のピッチを広げるようにこのバネ状屈曲片１６ａが弾性変形して、挟持用脚部１１の前記移動を許容するようになっている。（図３）
【００５０】
なお、図示の例にあっては、一対の挟持用脚部１１、１１の先端であって、他方の挟持用脚部１１に向き合わない側に、挟持用脚部１１の基部片１３との連接側に掛合面１７ａを向けた位置決め突起１７が形成されていると共に、雌部材２の締め込み用内壁部２２の引き出し開口２０側の終端と、この引き出し開口２０の縁部との間に、この引き出し開口２０側に段差面２４ａを向けた段部２４が形成されており、雌部材２内に雄部材１の挟持用脚部１１を入れ込み切ることに伴って、前記位置決め突起１７の掛合面１７ａが前記段差面２４ａに引き出し開口２０側から引っかかるようになっている。これにより、前記テンションが作用されなくなった後に、前記連接体１６の弾性復帰によって必要以上に挟持用脚部１１が入れ込み開口２１側に移動してしまうことがないようになっている。
【００５１】
図示の例では、雌部材２への雄部材１の挟持用脚部１１の入れ込みに伴って、この位置決め用突起１７を主として前記締め込み用内壁部２２に接しさせて、この挟持用脚部１１が撓み込まされるようになっており、この入れ込みをスムースならしめる観点から、位置決め用突起１７における挟持用脚部１１の先端に向けられた側には、この位置決め用突起１７の突き出し端に近付くに連れてこの位置決め用突起１７を細める向きに掛合面１７ａ側に次第に傾斜した傾斜面１７ｂが形成されている。この位置決め用突起１７は、この位置決め用突起１７の突き出し端が前記段差面２４ａの先に入り込んだ位置での挟持用脚部１１側の若干の弾発によって、かかる段差面２４ａに引っかかるようになっている。
【００５２】
また、この実施の形態にあっては、雄部材１の頭部１０と雌部材２の入れ込み開口２１側とのいずれか一方に、これらの他方に形成された被掛合部２５に対し、雌部材２内に雄部材１の挟持用脚部１１を入れ込み切った位置で掛合される掛合部１８ａを形成させている。
【００５３】
これにより、この実施の形態にあっては、雄部材１の二以上の挟持用脚部１１、１１…間に紐状ないしは帯状物Ｗの端部Ｗａを入れ込ませた状態で、雌部材２内にこの挟持用脚部１１を入れ込み切っることにより作出されたこの端部Ｗａをカバーさせた状態を、安定的に維持させることができる。
【００５４】
図示の例では、雄部材１の頭部１０における、前記ドーム状をなす面と反対の側にある面であって、前記連接体１６を挟んだ両側にそれぞれ、雌部材２に雄部材１の挟持用脚部１１を入れ込み切る直前の段階において、この入れ込み開口２１から雌部材２内に入り込む突片１８が設けられている。この突片１８は、前記連接体１６に向き合わない側を雌部材２の短寸側の内壁部２３に向き合わせるようにして雌部材２内に入れ込まれるようになっている。
【００５５】
そして、図示の例にあっては、かかる一対の突片１８、１８の先端側における雌部材２の短寸側の内壁部２３に向き合わされる側に掛合突部１８ｂが形成してあると共に、
雌部材２の一対の短辺側の内壁であって、その入れ込み開口２１側に、それぞれ、この入れ込み開口２１の開口縁との間に間隔を開けて前記掛合突部１８ｂが入り込む凹部２５ａが形成してあり、
さらに、前記一対の突片１８、１８に設けられた掛合突部１８ｂの突き出し端間の間隔が、雌部材２の入れ込み開口２１の開口縁側の一対の短寸側の内壁部２３、２３間の寸法よりもやや大きくなるようにしてある。
【００５６】
これにより、図示の例にあっては、雌部材２内に雄部材１の挟持用脚部１１を入れ込ませることに伴って、雌部材２の短寸側の内壁部２３に前記掛合突部１８ｂを押し当てさせ、この押し当たりにより主として前記突片１８側を一旦内向きに弾性変形させることができると共に、この雌部材２内に雄部材１の挟持用脚部１１を入れ込み切らせた位置でこの掛合突部１８ｂを弾発により前記凹部２５ａに入り込ませることができ、これにより、雄部材１が雌部材２内から挟持用脚部１１を抜け出させる向きに再び移動することがないように、この雄部材１と雌部材２とをワンタッチで組み付け合わせることができる。
【００５７】
すなわち、図示の例にあっては、雄部材１側の掛合突部１８ｂが前記掛合部１８ａとして、また、雌部材２側の前記凹部２５ａが前記被掛合部２５として、それぞれ機能されるようになっている。
【００５８】
なお、図示の例にあっては、雄部材１の掛合突部１８ｂにおける前記突片１８の先端側に向けられた面が、この掛合突部１８ｂの突き出し端に向かうに連れてこの掛合突部１８ｂを細める向きにこの突片１８の基部側に傾斜した傾斜面１８ｃとなっており、雌部材２内へのこの突片１８の入れ込みに過度の抵抗を生じさせないようにしてある。
【００５９】
【発明の効果】
この発明にかかる端部カバーによれば、紐状ないしは帯状物の端部に対し、容易かつ安定的に取り付けることができると共に、この端部のカバー状態を常時安定的に維持することができる。
【図面の簡単な説明】
【図１】端部カバーの取り付け直前の状態を示す断面図
【図２】端部カバーの使用状態を示す断面図
【図３】端部カバーの使用状態を示す断面図
【図４】端部カバーの正面図
【図５】同平面図
【図６】同左側面図
【図７】同右側面図
【図８】図５におけるＡ−Ａ線断面図
【図９】図４におけるＢ−Ｂ線断面図
【図１０】雌部材２の正面図
【図１１】同平面図
【図１２】同左側面図
【図１３】同右側面図
【図１４】図１１におけるＣ−Ｃ線断面図
【図１５】図１０におけるＤ−Ｄ線断面図
【図１６】雄部材１の正面図
【図１７】同平面図
【図１８】図１７におけるＥ−Ｅ線断面図
【図１９】雄部材１の底面図
【図２０】同左側面図
【図２１】同右側面図
【図２２】図１６におけるＦ−Ｆ線断面図
【図２３】図１６におけるＧ−Ｇ線断面図
【図２４】図１６におけるＨ−Ｈ線断面図
【図２５】図１６におけるＩ−Ｉ線断面図
【符号の説明】
Ｗ  紐状ないしは帯状物
Ｗａ  端部
１  雄部材
１０  頭部
１１  挟持用脚部
２  雌部材
２０  引き出し開口
２１  入れ込み開口
２２  締め込み用内壁部
【図１】
2004204376.tif 000003
【図２】
2004204376.tif 000004
【図３】
2004204376.tif 000005
【図４】
2004204376.tif 000006
【図５】
2004204376.tif 000007
【図６】
2004204376.tif 000008
【図７】
2004204376.tif 000009
【図８】
2004204376.tif 000010
【図９】
2004204376.tif 000011
【図１０】
2004204376.tif 000012
【図１１】
2004204376.tif 000013
【図１２】
2004204376.tif 000014
【図１３】
2004204376.tif 000015
【図１４】
2004204376.tif 000016
【図１５】
2004204376.tif 000017
【図１６】
2004204376.tif 000018
【図１７】
2004204376.tif 000019
【図１８】
2004204376.tif 000020
【図１９】
2004204376.tif 000021
【図２０】
2004204376.tif 000022
【図２１】
2004204376.tif 000023
【図２２】
2004204376.tif 000024
【図２３】
2004204376.tif 000025
【図２４】
2004204376.tif 000026
【図２５】
2004204376.tif 000027